(57)【特許請求の範囲】
【請求項１】
幅方向の寸法よりも厚み方向の寸法が短い細長い板材からなる棚板の長手方向の端部を支持した状態で、壁面に複数本のピンを用いて固定される棚板取付具であって、
前記棚板取付具は、取付状態において、前記棚板の対応する前記端部に嵌合される嵌合部と、前記壁面に添い且つ前記嵌合部から上方向に延びて前記ピンにより前記壁面に固定される上側延長部と、前記壁面に添い且つ前記嵌合部から下方向に延びて前記ピンにより前記壁面に固定される下側延長部とを備えて、樹脂材料により一体に成形されたものであり、
前記嵌合部は、前記棚板の前記端部の端面と対向する底壁部と、該底壁部の外周縁部から延びて前記端部の前記端面と連続する前記棚板の外周面部分を囲み且つ前記底壁部と対向する開口部を有する周壁部とを備えており、
前記下側延長部は前記上側延長部よりも上下方向の長さが長く、しかも前記壁面に接触した状態で、前記周壁部の前記壁面と対向する部分が前記壁面と接触状態になるように構成されており、
前記周壁部と前記下側延長部との間には前記開口部に近接して補強用リブが設けられており、
前記下側延長部は、前記樹脂材料の引けを防止するために、前記壁面側に向かって開口する一面開口状の凹部を備えており、
前記補強用リブは、前記下側延長部の前記凹部の周囲を囲む周壁部分と正対していることを特徴とする棚板取付具。
【請求項２】
前記凹部内には、前記上下方向に延びる１本以上の補強用リブが設けられている請求項１に記載の棚板取付具。
【請求項３】
前記上側延長部の前記上下方向の長さ寸法と前記嵌合部の前記周壁部の前記壁面と対向する部分の前記上下方向の長さ寸法とを合わせた長さ寸法Ｌ１と、前記下側延長部の前記上下方向の長さ寸法Ｌ２の比（Ｌ１／Ｌ２）が、１±０．０５の範囲内に収まるように構成されている請求項１に記載の棚板取付具。
【請求項４】
前記棚板は、ワンバイフォー木材であって、
前記嵌合部は、前記ワンバイフォー木材の端部が緩く嵌合されるように構成されている請求項１に記載の棚板取付具。
【発明の詳細な説明】
【技術分野】
【０００１】
本発明は、棚板を壁面に取り付けるための棚板取付具に関するものである。
【背景技術】
【０００２】
棚板を壁面に取り付ける棚板取付具としては、金属製のものが一般的にある。しかしながら余剰材料の有効利用や、見栄えの点から、金属以外の材料で棚板取付具を製造することも行われている。例えば、特開２００７−２２２１９７号公報（特許文献１）に示された棚板取付具では、板材を主材料としている。この棚板取付具では、釘やビスの打ち込みミスで板材が破損することを防ぐためと、見栄えのために、釘やビスを用いずに、ピンを固定手段として用いる取付部４を板材に固定している。具体的には、特許文献１の図５に示されているように、四角形平板で構成された支持部２を用いて棚板１を壁面に固定する。支持部２には、壁面側が開口した凹溝（係止部）３が形成されており、この凹溝３に棚板１の端縁を挿入して棚板を支持部２に取り付ける。取付部４は、支持部２に設けた凹所に嵌合されており、ねじにより取付部４は支持部に固定されている。そして取付部４は、壁面固定用のピン８を挿通するだけで固定に必要な適正位置にピン８を位置決めできるように構成されている。
【先行技術文献】
【特許文献】
【０００３】
【特許文献１】特開２００７−２２２１９７号公報
【発明の概要】
【発明が解決しようとする課題】
【０００４】
特許文献１に示された棚板取付具は、支持部２として木材からなる四角形平板を用い、また、四角形平板を加工していることから、比較的強度が高く、加工が容易である。しかし、支持部２の他にピンを挿入するための別部品の取付部４も用意しなければならない。
【０００５】
金属または木材以外でも、棚板取付具を形成することは可能である。最も可能性が高いのは、樹脂材料である。樹脂材料により棚板取付具を一体に成形できれば、製造コストを抑えることができる。しかし、樹脂材料で棚板取付具を一体に成形する場合には、樹脂製品の機械的強度や樹脂の引けの問題を考慮しなければならないため、木材から形成する前述の支持部２と同様の形状にすることは困難である。なぜならば、支持部２は、凹溝３の壁面側が開口している構造であるため、樹脂材料による一体成形品の場合には、支持部の強度が弱くなってしまう。そのため、特許文献１に開示された棚板取付具の構造を、樹脂材料により一体に成形して得ることは困難である。
【０００６】
本発明の目的は、樹脂材料により一体に成形して得ることが可能な棚板取付具を提供することである。
【０００７】
本発明の他の目的は、比較的入手が容易な木材を棚板として利用可能な棚板取付具を提供することである。
【課題を解決するための手段】
【０００８】
本発明の棚板取付具は、幅方向の寸法よりも厚み方向の寸法が短い細長い板材からなる棚板の長手方向の端部を支持した状態で、壁面に複数本のピンを用いて固定される棚板取付具である。棚板取付具は、取付状態において、棚板の対応する端部に嵌合される嵌合部と、壁面に添い且つ嵌合部から上方向に延びてピンにより壁面に固定される上側延長部と、壁面に添い且つ嵌合部から下方向に延びてピンにより壁面に固定される下側延長部とを備えて、樹脂材料により一体に成形されたものである。嵌合部は、棚板の端部の端面と対向する底壁部と、該底壁部の外周縁部から延びて端部の端面と連続する棚板の外周面部分を囲み且つ底壁部と対向する開口部を有する周壁部とを備えており、下側延長部は上側延長部よりも上下方向の長さが長く、しかも壁面に接触した状態で、周壁部の壁面と対向する部分が壁面と接触状態になるように構成されていることを特徴としている。
【０００９】
このように、底壁部及び周壁部から嵌合部を構成することで、樹脂材料により一体に成形した場合において、周壁部の変形を底壁部の存在によって抑制することができるので、嵌合部の強度を高めることができる。さらに、嵌合部の周壁部の一部が壁面と接触することにより、棚板に加わる荷重を線ではなく面で受けることができるので、棚板取付具の耐荷重を高めることができる。
【００１０】
また、発明者が検討した結果、壁面に棚板取付具を取り付けて、棚板に物を載置した場合に発生する棚板取付具を下方向に回転させる力は、下側延長部を壁面に押し付ける方向に作用し、上側延長部を壁面から離す方向に作用する。そして上側延長部を固定するピンが抜けた後に、下側延長部を固定するピンが抜けることになる。下側延長部の長さが長くなるほど、上側延長部を壁面から離す方向に作用する力は小さくなる。その結果、本発明によれば、耐荷重を高めることができる。
【００１１】
なお、下側延長部の上下方向の長さが、上側延長部の上下方向の長さよりも長くなるようにすればよいが、発明者の試行結果によれば、上側延長部の上下方向の長さ寸法と嵌合部の周壁部の壁面と対向する部分の上下方向の長さ寸法とを合わせた長さ寸法Ｌ１と、下側延長部の上下方向の長さ寸法Ｌ２の比（Ｌ１／Ｌ２）が、１±０．０５の範囲内に収まるようにすると、棚板の耐荷重を必要十分なものとしながら、上側延長部と下側延長部の上下方向の長さの見た目のバランスが良くなる。
【００１２】
上述の通り、壁面に棚板取付具を取り付けて棚板に物を載置した場合に発生する棚板取付具を下方向に回転させる力によって、嵌合部の周壁部と下側延長部の境部分には大きな力が作用する。そこで、樹脂材料で棚板取付具を一体成形する場合には、この部分を補強することが望ましい。例えば、周壁部と下側延長部との間に、開口部に近接して補強用リブを設けることが考えられる。このように構成すれば、嵌合部の周壁部と下側延長部の境部分を補強しながら、変形しやすい嵌合部の開口部も補強することができる。樹脂材料の引けを考慮して、下側延長部を壁面側に向かって開口する一面開口状の凹部を備えた構造にした場合には、補強用リブは、下側延長部の凹部の周囲を囲む周壁部分と正対するように設ければよい。このようにすると補強用リブに加わる力を下側延長部分の周壁部分で受けることになるため、凹部を備えた下側延長部分の変形を抑制することができる。またこの場合、凹部内には、上下方向に延びる１本以上の補強用リブを設けるようにしてもよい。凹部内にこのような補強用リブを設けると、樹脂の引けにより下側延長部の形状が歪むことを阻止して、しかも下側延長部の強度を効果的に高めることができる。
【００１３】
棚板として用いる板材は、どのようなものを用いてもよいが、本発明の場合、嵌合部が棚板の端部の周囲を囲むように収納するため、嵌合部内に棚板の端部が嵌合されるように棚板の寸法を嵌合部に合わせる必要がある。そこで、嵌合部の寸法に合わせた棚板を準備する他に、嵌合部の寸法を入手しやすい規格化された板材の寸法に合わせることが考えられる。
【００１４】
例えば、棚板として最も汎用性の高いワンバイフォー（１×４）木材を想定した場合、木材は乾燥により反ったり、変形することがあるため、ワンバイフォー木材の端部が緩く嵌合収納されるように嵌合部を構成するのが好ましい。このように構成すれば、木材の反り等があっても、棚板取付具の嵌合部に棚板の端部を確実に嵌合させることができる。棚板はワンバイフォー木材に限らず、他の板材でもよいのはもちろんである。
【００１５】
なお、ワンバイフォー木材とは、アメリカの建築工法（２×４工法）や日本のＪＡＳ規格（枠組壁工法構造用製材の日本農林規格）等に規定・規格化されているワンバイフォー木材のことであり、断面寸法が約１９ｍｍ（厚み寸法）×約８９ｍｍ（幅寸法）である材木のことである。
【図面の簡単な説明】
【００１６】
【図１】本実施の形態の棚板取付具を２つ１組で用いて、棚板を壁面に固定した状態を示す斜視図である。
【図２】図１の分解斜視図である。
【図３】図１に示した棚板の右側用の棚板取付具の詳細を示す図であり、（Ａ）は正面図、（Ｂ）は右側面図、（Ｃ）は左側面図、（Ｄ）は平面図、（Ｅ）は底面図、（Ｆ）は背面図、（Ｇ）はＧ−Ｇ線断面図である。
【図４】図１に示した棚板の左側用の棚板取付具の詳細を示す図であり、（Ａ）は正面図、（Ｂ）は右側面図、（Ｃ）は左側面図、（Ｄ）は平面図、（Ｅ）は底面図、（Ｆ）は背面図、（Ｇ）はＧ−Ｇ線断面図である。
【発明を実施するための形態】
【００１７】
以下、図面を参照して、本発明の棚板取付具の実施の形態を詳細に説明する。
【００１８】
図１は、本実施の形態の棚板取付具１，１´を２つ１組で用いて、ワンバイフォー木材である棚板３を石膏ボードやプリント合板等の壁面Ｗに固定した状態を示す斜視図であり、図２は、図１の分解斜視図である。図３は、棚板取付具１の詳細を示す図であり、（Ａ）は正面図、（Ｂ）は右側面図、（Ｃ）は左側面図、（Ｄ）は平面図、（Ｅ）は底面図、（Ｆ）は背面図、（Ｇ）はＧ−Ｇ線断面図である。図４は、棚板取付具１´の詳細を示す図であり、（Ａ）は正面図、（Ｂ）は右側面図、（Ｃ）は左側面図、（Ｄ）は平面図、（Ｅ）は底面図、（Ｆ）は背面図、（Ｇ）はＧ−Ｇ線断面図である。
【００１９】
棚板取付具１は、壁面Ｗに向かって右側に配置される棚板取付具であり、図３に詳細を示すように、嵌合部５と、上側延長部７と、下側延長部９とを備えて、樹脂材料により一体に成形されたものである。嵌合部５は、棚板３の端部の端面と対向する底壁部１１と、底壁部１１の外周縁部から延びて棚板３の端部の端面と連続する外周面部分を囲み且つ対向する開口部１５を有する周壁部１３とから構成されている。上側延長部７は、壁面に取り付けた状態において、嵌合部５から上方向に延びており、下側延長部９は、嵌合部５から下方向に延びている。上側延長部７の上端部には、壁面固定用のピン１７が通る貫通孔１９Ａ，１９Ｂがあけられており、下側延長部９の下端部には、壁面固定用のピン１７が通る貫通孔２１があけられている。棚板取付具１は、図１の紙面に向かって右側に嵌合部５の底壁部１１が配置される。
【００２０】
周壁部１３の内寸は、棚板３（ワンバイフォー木材）の断面寸法よりわずかに大きく構成されており、２０ｍｍ（厚み寸法）×９０ｍｍ（幅寸法）に構成されている。
【００２１】
本実施の形態では、棚板取付具１を壁面Ｗに固定すると、上側延長部７の壁面Ｗと対向する部分と、嵌合部５の周壁部１３の壁面Ｗと対向する部分と、下側延長部９の壁面と対向する部分とが全て壁面Ｗと接触状態となるように面一になるように構成されている。このことで、棚板に加わる荷重を線ではなく面で受けることができるので、棚板取付具の耐荷重を高めることができる。
【００２２】
壁面Ｗに棚板取付具を取り付けて、棚板に物を載置した場合に発生する棚板取付具を下方向に回転させる力は、下側延長部９を壁面Ｗに押し付ける方向に作用し、上側延長部７を壁面Ｗから離す方向に作用する。この力に対応するために、下側延長部９は上側延長部７よりも上下方向の長さが長くなるようにしている。このようにすることで、上側延長部７を壁面Ｗから離す方向に作用する力は小さくなり、その結果、耐荷重を高めることができる。本実施の形態では、上側延長部７の上下方向の長さ寸法と嵌合部５の周壁部１３の壁面Ｗと対向する部分の上下方向の長さ寸法とを合わせた長さ寸法（図３（Ｃ）に示した寸法Ｌ１）と、下側延長部９の上下方向の長さ寸法（図３（Ｃ）に示した寸法Ｌ２）の比（Ｌ１／Ｌ２）が、１±０．０５の範囲内に収まるように構成している。具体的には、寸法Ｌ１は３３ｍｍ、寸法Ｌ２は３２ｍｍになるようにしている。
【００２３】
上述のように、壁面Ｗに棚板取付具を取り付けて棚板に物を載置した場合、嵌合部５の周壁部１３と下側延長部９の境部分には大きな力が作用する。そのため、本実施の形態では、周壁部１３と下側延長部９との間に、補強用リブ２７を設けている。（Ｆ）背面図及び（Ｇ）Ｇ−Ｇ線断面図に示されているように、棚板取付具１の下側延長部９の背面（壁面と接触する面）には、引け防止用の一面開口状の凹部２９が形成されており、補強用リブ２７は、凹部２９を囲む周壁部分３１と正対する位置であり、且つ、開口部１５寄りの位置に設けられている。この位置に補強用リブ２７を配置することで、周壁部１３と下側延長部９の境部分を補強し、周壁部１３の変形も防ぐことが可能である。凹部２９内にも、上下方向に延びる２本の補強用リブ３３が設けられており、周壁部１３と下側延長部９の境部分を補強している。上側延長部７の背面にも、引け防止用の一面開口状の凹部３５が設けられている。
【００２４】
上側延長部７の上端部は、壁面Ｗに対して４５°の角度を形成するように傾斜しており、傾斜部８に垂直に貫通孔１９Ａ，１９Ｂが形成されている。したがって、ピン１７は、斜めに傾斜した状態で壁面Ｗに固定されることになる。これに対して、貫通孔２１は、下側延長部９に対して垂直に形成されている。このように構成することで、上側延長部７を固定する際には、上方から斜め下に向かってピン１７を押し込むことができ、下側延長部９を固定する際には、壁面Ｗに対して真っ直ぐにピン１７を押し込むことができ、作業がしやすくなり、また、ピン１７が抜けにくくなる。
【００２５】
棚板取付具１´は、壁面Ｗに向かって左側に配置される棚板取付具であり、図１の紙面に向かって左側に嵌合部５´の底壁部１１´が配置される。棚板取付具１´は、図４（Ａ）〜（Ｇ）に詳細を示すように、棚板取付具１の開口部１５と平行に延びる仮想面に対して鏡面対称になるように構成されているため、右側の棚板取付具１の符号に「´」を付して、説明を省略する。
【００２６】
棚板３は、上述の通り、ワンバイフォー木材であり、断面寸法が約１９ｍｍ（厚み寸法）×約８９ｍｍ（幅寸法）であり、長手方向の長さ寸法が３００ｍｍのものである。
【００２７】
本実施の形態の棚板取付具１，１´を用いて棚板３を壁面Ｗに取り付ける工程は次の通りである。
（１）棚板３の端部２３の端面（木口）２３Ａが底壁部１１と当接するように棚板取付具１を嵌合し、且つ、端部２５の端面（木口）２５Ａが底壁部１１´と当接するように棚板取付具１´を嵌合する。
（２）壁面Ｗの所望の取付位置に、上側延長部７，７´が上向き、下側延長部９，９´が下向きになるように棚板取付具１，１´を配置する。
（３）貫通孔１９Ａ，１９Ｂにピン１７を挿入し、貫通孔１９Ａ´，１９Ｂ´にピン１７´を挿入し、上側延長部７，７´を固定する。
（４）貫通孔２１にピン１７を挿入し、貫通孔２１´にピン１７´を挿入し、下側延長部９，９´を固定する。
【００２８】
以上の工程により、壁面Ｗに棚を作成することができる。なお、先に棚板取付具１，１´のいずれか一方を壁面Ｗに固定してから、嵌合部５，５´に棚板３の端部２３，２５を嵌合させて、他方の棚板取付具（１または１´）を固定するようにしてもよい。
【００２９】
以上、本発明の実施の形態について具体的に説明したが、本発明はこれらの実施の形態に限定されるものではなく、本発明の技術的思想の範囲内で変更が可能であるのは勿論である。
【００３０】
例えば、棚板としてワンバイフォー木材だけでなく、他の規格の材木を使用してもよい。また、所望の棚板の形状に合わせて棚板取付具（特に嵌合部）の形状を決定するようにしてもよい。
【産業上の利用可能性】
【００３１】
本発明によれば、樹脂材料により一体に成形して得ることが可能な棚板取付具を提供することができる。また、比較的入手が容易な木材を棚板として利用可能な棚板取付具を提供することができる。
【符号の説明】
【００３２】
１，１´  棚板取付具
３  棚板
５，５´  嵌合部
７，７´  上側延長部
９，９´  下側延長部
１１，１１´  底壁部
１３，１３´  周壁部
１５，１５´  開口部
１７，１７´  ピン
１９Ａ，１９Ｂ  貫通孔
１９Ａ´，１９Ｂ´  貫通孔
２１，２１´  貫通孔
２３，２５  （棚板の）端部
２３Ａ，２５Ａ  （棚板の）端面
２７，２７´  補強用リブ
２９，２９´  凹部
３１，３１´  周壁部分
３３，３３´  補強用リブ
３５，３５´  凹部
【図１】
0006585397.tif 000002
【図２】
0006585397.tif 000003
【図３】
0006585397.tif 000004
【図４】
0006585397.tif 000005